(57)【特許請求の範囲】
【請求項１】
ＩＣタグを備えた検体容器内の検体の識別子と、日付とを、関連付けて記憶する検体管理表記憶手段と、
保管庫の出入り口近傍に備えられたＩＣタグ読み取り装置から前記検体の前記識別子を受信すると、１）受信した前記検体の前記識別子とその時点の日付を関連付けて前記検体管理表記憶手段に記録する記録処理、または、２）受信した前記検体の前記識別子に関連付けられた日付から前記検体が所定の保管期限を超えているか否かを判定し、超えていれば廃棄可能、超えていなければ保管継続のメッセージを出力する棚卸し処理、を実行する検体管理手段と、を備える検体管理装置であって、
前記検体管理表記憶手段は、前記検体の前記識別子と、日付と、測定値とを、関連付けて記憶し、
前記検体管理手段は、１）記録の開始指示を受信すると、センサから測定値を読み取って、日付と、当該測定値とを、関連付けて前記検体管理表記憶手段に記憶し、その後、前記ＩＣタグ読み取り装置から前記検体の前記識別子を受信すると、前記記録処理を実行し、２）指定日付を伴う捜索の開始指示を受信すると、前記検体管理表記憶手段から前記指定日付に関連付けられた測定値を出力し、その後、前記ＩＣタグ読み取り装置から前記検体の前記識別子を受信すると、受信した前記検体の前記識別子に関連付けられた日付と前記指定日付が一致しているかどうかを判定し、判定結果を出力し、３）棚卸し開始指示を受信後に、前記ＩＣタグ読み取り装置から前記検体の前記識別子を受信すると、前記棚卸し処理を実行する、検体管理装置。
【請求項２】
前記検体管理手段は、１）記録の開始指示を受信後に、前記ＩＣタグ読み取り装置から前記検体の前記識別子を受信すると、前記記録処理を実行し、２）棚卸し開始の指示を受信後に、前記ＩＣタグ読み取り装置から前記検体の前記識別子を受信すると、前記棚卸し処理を実行する、請求項１の検体管理装置。
【請求項３】
前記検体は食品検体であり、前記センサは、食事提供施設に設置された、温度センサ、および、湿度センサである、請求項１の検体管理装置。
【請求項４】
請求項１または請求項３の何れか１項の検体管理装置と、
前記ＩＣタグ読み取り装置と、
前記センサと、を包含する検体管理システム。
【請求項５】
コンピュータが、保管庫の出入り口近傍に備えられたＩＣタグ読み取り装置から、ＩＣタグを備えた検体容器内の検体の識別子を受信すると、前記コンピュータに具備された検体管理手段が、１）受信した前記検体の前記識別子とその時点の日付を関連付けて検体管理表記憶手段に記録する記録処理、または、２）受信した前記検体の前記識別子に関連付けられた日付から所定の保管期限を超えているか否かを判定し、超えていれば廃棄可能、超えていなければ保管継続のメッセージを出力する棚卸し処理、を実行する、検体管理方法であって、
前記検体管理手段は、１）記録の開始指示を受信すると、センサから測定値を読み取って、日付と、当該測定値とを、関連付けて前記検体管理表記憶手段に記憶し、その後、前記ＩＣタグ読み取り装置から前記検体の前記識別子を受信すると、前記記録処理を実行し、２）指定日付を伴う捜索の開始指示を受信すると、前記検体管理表記憶手段から前記指定日付に関連付けられた測定値を出力し、その後、前記ＩＣタグ読み取り装置から前記検体の前記識別子を受信すると、受信した前記検体の前記識別子に関連付けられた日付と前記指定日付が一致しているかどうかを判定し、判定結果を出力し、３）棚卸し開始指示を受信後に、前記ＩＣタグ読み取り装置から前記検体の前記識別子を受信すると、前記棚卸し処理を実行する、検体管理方法。
【請求項６】
前記検体管理手段は、１）記録の開始指示を受信後に、前記ＩＣタグ読み取り装置から前記検体の前記識別子を受信すると、前記記録処理を実行し、２）棚卸し開始の指示を受信後に、前記ＩＣタグ読み取り装置から前記検体の前記識別子を受信すると、前記棚卸し処理を実行する、請求項５の検体管理方法。
【請求項７】
ＩＣタグを備えた検体容器内の検体の識別子と、日付と、測定値と、を、関連付けて記憶する検体管理表記憶手段を備えたコンピュータに、
保管庫の出入り口近傍に備えられたＩＣタグ読み取り装置から前記検体の前記識別子を受信すると、１）受信した前記検体の前記識別子とその時点の日付を関連付けて前記検体管理表記憶手段に記録する記録処理、または、２）受信した前記検体の前記識別子に関連付けられた日付から前記検体が所定の保管期限を超えているか否かを判定し、超えていれば廃棄可能、超えていなければ保管継続のメッセージを出力する棚卸し処理、を実行させるプログラムであって、
１）記録の開始指示を受信すると、センサから測定値を読み取って、日付と、当該測定値とを、関連付けて前記検体管理表記憶手段に記憶させ、その後、前記ＩＣタグ読み取り装置から前記検体の前記識別子を受信すると、前記記録処理を実行させ、２）指定日付を伴う捜索の開始指示を受信すると、前記検体管理表記憶手段から前記指定日付に関連付けられた測定値を出力させ、その後、前記ＩＣタグ読み取り装置から前記検体の前記識別子を受信すると、受信した前記検体の前記識別子に関連付けられた日付と前記指定日付が一致しているかどうかを判定して、判定結果を出力させ、３）棚卸し開始指示を受信後に、前記ＩＣタグ読み取り装置から前記検体の前記識別子を受信すると、前記棚卸し処理を実行させるプログラム。
【発明の詳細な説明】
【技術分野】
【０００１】
本発明は、検体管理装置、検体管理システム、検体管理方法、および、プログラム、特に、検体の保管期限管理を行う検体管理装置、検体管理システム、検体管理方法、および、プログラムに関する。
【背景技術】
【０００２】
特許文献１は、食品に関する情報を管理し、例えば食中毒事故や食品品質の関わる事故が発生した場合の原因究明に必要となる情報や、消費者の消費選択に資する情報を提示する食品情報管理システムを開示する。このシステムは、情報を記録した無線ＩＣ（Integrated Circuit）タグを活用し、食品流通の各段階での情報の複製を容易にすることで、当該食品に関する情報を流通の各段階に配布する。
【０００３】
特許文献２は、検体の保管期限管理を行う検体処理システムを開示する。このシステムは、検体の識別子と検体の保管期限を記憶しているサーバコンピュータに接続されている。
このシステムは、検体のバーコードから検体の識別子を読み取り、当該識別子をサーバコンピュータに送信して、検体の保管期限を受信し、保管期限切れであれば警告画面を出力する。
【先行技術文献】
【特許文献】
【０００４】
【特許文献１】特開２００５−１０７８４３号公報
【特許文献２】特開２０１０−１２１９３６号公報
【発明の概要】
【発明が解決しようとする課題】
【０００５】
食品等の検体の保管期限管理を行う装置において、製造日付などの情報を人手で記録する場合、ミスが発生する可能性が存在する。特許文献１のシステムは、保管期限管理のベースとなる日付情報の入力機能を有さず、その入力方法は不明である。特許文献２の検体処理システムにおいては、検体処理システムの供給元の担当者がサーバコンピュータに記録する。
【０００６】
本発明は、上記課題を解決する、検体管理装置、検体管理システム、検体管理方法、および、プログラムを提供することを目的とする。
【課題を解決するための手段】
【０００７】
本発明の１実施の形態の検体管理装置は、ＩＣタグを備えた検体容器内の検体の識別子と、日付とを、関連付けて記憶する検体管理表記憶手段と、保管庫の出入り口近傍に備えられたＩＣタグ読み取り装置から前記検体の前記識別子を受信すると、１）受信した前記検体の前記識別子とその時点の日付を関連付けて前記検体管理表記憶手段に記録する記録処理、または、２）受信した前記検体の前記識別子に関連付けられた日付から前記検体が所定の保管期限を超えているか否かを判定し、超えていれば廃棄可能、超えていなければ保管継続のメッセージを出力する棚卸し処理、を実行する検体管理手段と、を備える。
【０００８】
本発明の１実施の形態の検体管理方法は、保管庫の出入り口近傍に備えられたＩＣタグ読み取り装置から、ＩＣタグを備えた検体容器内の検体の識別子を受信すると、１）受信した前記検体の前記識別子とその時点の日付を関連付けて検体管理表記憶手段に記録する記録処理、または、２）受信した前記検体の前記識別子に関連付けられた日付から所定の保管期限を超えているか否かを判定し、超えていれば廃棄可能、超えていなければ保管継続のメッセージを出力する棚卸し処理、を実行する。
【０００９】
発明の１実施の形態のプログラムは、ＩＣタグを備えた検体容器内の検体の識別子と、日付とを、関連付けて記憶する検体管理表記憶手段を備えたコンピュータに、保管庫の出入り口近傍に備えられたＩＣタグ読み取り装置から前記検体の前記識別子を受信すると、１）受信した前記検体の前記識別子とその時点の日付を関連付けて前記検体管理表記憶手段に記録する記録処理、または、２）受信した前記検体の前記識別子に関連付けられた日付から前記検体が所定の保管期限を超えているか否かを判定し、超えていれば廃棄可能、超えていなければ保管継続のメッセージを出力する棚卸し処理、を実行させる。
【発明の効果】
【００１０】
本発明にかかる検体管理装置は、製造日付などの情報の入力ミスを防止し、保管期限管理の信頼性を向上させる。
【図面の簡単な説明】
【００１１】
【図１】図１は、本実施の形態にかかる検体管理システム５０の構成を示す図である。
【図２】図２は、検体管理テーブル１１の構造を示す図である。
【図３】図３は、コンピュータ装置６０の構成図である。
【図４】図４は、食品検体を保管庫に収納するときの検体管理システム５０の手続きフローチャートである。
【図５】図５は、食品検体を棚卸しをするときの検体管理システム５０の手続きフローチャートである。
【図６】図６は、食品事故等が発生した際、事故日の保存食品検体を捜索するときの検体管理システム５０の手続きフローチャートである。
【図７】図７は、本実施の形態にかかる検体管理サーバ装置１の構成を示す図である。
【発明を実施するための形態】
【００１２】
＜第１の実施の形態＞
＜構成＞
図１は、本実施の形態にかかる検体管理システム５０の構成を示す図である。
【００１３】
検体管理システム５０は、検体管理サーバ装置１、並びに、検体管理サーバ装置１に接続された無線ＩＣタグ読み取り装置２、および、複数の環境センサ４１乃至４９を包含する。
【００１４】
無線ＩＣタグ読み取り装置２は、複数の検体容器３１乃至３９に取り付けられた無線ＩＣタグ３０１乃至３０９から当該検体容器内の検体の識別子を読み取り、検体管理サーバ装置１に送信する。無線ＩＣタグ３０１乃至３０９は非接触型のＲＦＩＤ（Radio Frequency Identifier ）タグである。
【００１５】
無線ＩＣタグ読み取り装置２は、例えば、冷蔵庫などの食品検体の保管庫の出入り口付近に設置されており、例えば、人間が、検体容器３１を保管庫に入れたり出したりする際に、当該検体容器３１の無線ＩＣタグ３０１から検体の識別子を読み取る。
【００１６】
無線ＩＣタグ読み取り装置２は、無線ＩＣタグ３０１乃至３０９と無線通信する無線ＩＣタグインタフェース装置２３、メッセージを表示する表示装置２２、検体管理サーバ装置１と通信するサーバインタフェース装置２１を備える。
【００１７】
複数の環境センサ４１乃至４９は、食品検体が取得された食事提供施設、例えば、キッチン、ダイニング、に設置された、温度センサ、湿度センサ、光センサ、風量センサである。複数の環境センサ４１乃至４９は、食品検体が取得された場所における、食品品質に影響を与える環境条件を測定する。
【００１８】
検体管理サーバ装置１は、無線ＩＣタグ読み取り装置２、および、複数の環境センサ４１乃至４９から情報を受信して、食品検体の日付等の管理情報を収集管理し、例えば、検体の保管期限管理を行う。
【００１９】
検体管理サーバ装置１は、検体管理テーブル１１と検体管理部１２を備える。
【００２０】
図２は、検体管理テーブル１１の構造を示す図である。検体管理テーブル１１は、日付時刻、当該日付時刻から一定期間内に保管庫に入れられた検体の識別子（ＩＤ：Identifier ）、および、当該日付時刻付近で得られたセンサ測定値を関連付けて記録する。
【００２１】
図２は、例えば、２０１５年１１月１３日の１２：００時から２４Ｈ以内に保管庫に入れた検体の識別子が、００１乃至００７であることを示している。また、図２は、当該時点付近で測定されたセンサの測定値が、湿度１、湿度２、温度１等であることを示している。
【００２２】
検体管理部１２は、情報を収集して検体管理テーブル１１に登録したり、検体管理テーブル１１に登録されている情報に基づいて、検体の棚卸しや捜索をしたりする。検体管理部１２は論理回路で構成される。検体管理テーブル１１は、半導体記憶装置やディクス記憶装置に格納される。
【００２３】
また、検体管理サーバ装置１は、プログラム６３を備えるコンピュータ装置６０で実現することも出来る。
【００２４】
図３は、コンピュータ装置６０の構成図である。コンピュータ装置６０は、バス６５で相互に接続されたプロセッサ６１、主記憶部６２、補助記憶装置６４を備える。ここで、例えば、主記憶部６２は半導体記憶装置、補助記憶装置６４はＨＤＤ（Hard Disk Drive）やＳＤＤ(Solid State Drive)である。主記憶部６２はプログラム６３を記憶している。
【００２５】
プログラム６３は、プロセッサ６１で実行されることにより、プロセッサ６１を検体管理部１２として機能させる。補助記憶装置６４の主記憶部６２少なくとも一方は、検体管理テーブル１１を記憶する。
【００２６】
なお、図１は、１台の無線ＩＣタグ読み取り装置２、９個の環境センサ４１乃至４９、９個の環境センサ４１乃至４９、および、９個の検体容器３１乃至３９を例示するが、これらの数は、この例に限られない。
【００２７】
＜動作＞
図４は、食品検体を保管庫に収納するときの検体管理システム５０の手続きフローチャートである。
【００２８】
食品検体を保管庫に収納する際、オペレータは、最初に検体記録の開始の操作を行う（Ｓ１）。この操作は、無線ＩＣタグ読み取り装置２からのリモート操作でもよいし、検体管理サーバ装置１での直接操作でもよい。
【００２９】
この操作によって、検体管理サーバ装置１では、検体管理部１２が起動されて、検体記録を管理する動作を開始する（Ｓ２）。検体管理部１２は、例えば、検体管理テーブル１１を補助記憶装置６４から読み込んで主記憶部６２に展開する。さらに、検体管理部１２は、検体管理サーバ装置１のカレンダ、時計から日付と時刻を読み取って検体管理テーブル１１に格納し、環境センサ４１乃至４９からキッチンやダイニング等の食事提供施設の温度や湿度等の測定値を読み取って検体管理テーブル１１に格納する。
【００３０】
上述の準備が整ったかどうかは、無線ＩＣタグ読み取り装置２にある表示装置２２、あるいは検体管理サーバ装置１自身が有するコンソール装置等を通じてオペレータに通知される。
【００３１】
オペレータは、準備が整ったことを知ると、最初の保管対象である、例えば、検体容器３１の無線ＩＣタグ３０１を、無線ＩＣタグ読み取り装置２で読み取り、検体容器３１を保管庫に保管する（Ｓ３）。
【００３２】
無線ＩＣタグ読み取り装置２は、読み取った無線ＩＣタグ３０１の識別子を無線ＩＣタグ読み取り装置２が備えるサーバインタフェース装置２１を介して、検体管理サーバ装置１に送信する（Ｓ４）。
【００３３】
検体の識別子を受信した検体管理サーバ装置１の検体管理部１２は、その識別子を検体管理テーブル１１に記録する（Ｓ５）。検体管理部１２は、次の検体読み取り準備が整ったことを、無線ＩＣタグ読み取り装置２の表示装置２２に表示して、オペレータに通知しても良い。検体管理部１２が、読み取りから記録までを十分速い速度で処理できるのであれば、この通知を省略することも可能である。
【００３４】
オペレータは、検体容器の無線ＩＣタグの読み取り操作と保管庫への格納作業を、保管すべき食品検体がなくなるまで繰り返す（Ｓ６）。すべての検体の記録と保管が完了すると（Ｓ５でＹｅｓ）、オペレータは検体記録の終了操作を行う（Ｓ７）。開始操作と同様、この操作は、無線ＩＣタグ読み取り装置２からのリモート操作でもよいし、検体管理サーバ装置１での直接操作でもよい。
【００３５】
終了操作を受け付けた検体管理サーバ装置１は、保存記録の追加された検体管理テーブル１１を補助記憶装置６４等に記録し、検体管理部１２の実行を終了する（Ｓ８）。
【００３６】
図５は、食品検体を棚卸しをするときの検体管理システム５０の手続きフローチャートである。
【００３７】
保存期限を過ぎた食品検体を保管庫から取り出そうとする際、オペレータは、最初に検体棚卸しの開始の操作を行う（Ｓ１１）。この操作は、無線ＩＣタグ読み取り装置２からのリモート操作でもよいし、検体管理サーバ装置１での直接操作でもよい。
【００３８】
この操作によって、検体管理サーバ装置１では、検体管理部１２が起動されて、検体記録を棚卸しをする動作を開始する（Ｓ１２）。検体管理部１２は、例えば、検体管理テーブル１１を補助記憶装置６４から読み込んで主記憶部６２に展開する。さらに、検体管理部１２は、検体管理サーバ装置１のカレンダ、時計から日付と時刻を読み取とる。
【００３９】
なお、保存期限についての情報、すなわち保管した日から廃棄可能となる日までの経過日数の値は、あらかじめ検体管理サーバ装置１に設定されているものとする。設定は、例えば、検体管理サーバ装置１のインストール時に行われる。
【００４０】
上述の準備が整ったかどうかは、検体管理部１２が、無線ＩＣタグ読み取り装置２にある表示装置２２、あるいは検体管理サーバ装置１自身が有するコンソール装置等を通じてオペレータに通知する。
【００４１】
オペレータは、準備が整ったことを知ると、最初の保管済みの検体容器、例えば、検体容器３１の無線ＩＣタグ３０１を、無線ＩＣタグ読み取り装置２で読み取る（Ｓ１３）。
【００４２】
無線ＩＣタグ読み取り装置２は、読み取った無線ＩＣタグ３０１の識別子を無線ＩＣタグ読み取り装置２が備えるサーバインタフェース装置２１を介して、検体管理サーバ装置１に送信する（Ｓ１４）。
【００４３】
検体の識別子を受信した検体管理サーバ装置１の検体管理部１２は、その識別子をキーにして検体管理テーブル１１を検索し、その検体が保管された日付情報を検体管理テーブル１１から取り出す（Ｓ１５）。
【００４４】
検体管理部１２は、当日の日付と、取り出した保管日付および設定された保管期限情報の加算値を比較し、調査対象の食品検体が保管期限内かそうでないかを判定する（Ｓ１７）。当該食品検体が保管期限を過ぎている場合は（Ｓ１７でＹｅｓ）、検体管理部１２は、廃棄可能であることを無線ＩＣタグ読み取り装置２の表示装置２２に表示する（Ｓ１８）。保管期限内である場合は（Ｓ１７でＮｏ）、検体管理部１２は、保管継続が必要なことを表示装置２２に表示する（Ｓ１９）。
【００４５】
オペレータは表示を確認して、廃棄可能である食品検体は廃棄し、保管期限内の食品検体は保管庫に戻して保管を継続する。食品検体を廃棄した場合、オペレータはその旨を、表示装置２２等から検体管理部１２に通知する。検体の廃棄を通知されたとき、検体管理部１２は、その検体の識別子を、検体管理テーブル１１から削除する。
【００４６】
検体管理部１２は、次の検体読み取り準備が整ったことを、無線ＩＣタグ読み取り装置２の表示装置２２に表示して、オペレータに通知しても良い。検体管理部１２が、読み取りから記録までを十分速い速度で処理できるのであれば、この通知を省略することも可能である。
【００４７】
オペレータは、検体容器の無線ＩＣタグの読み取り操作と廃棄可否の確認作業を、調査すべき廃棄候補がなくなるまで繰り返す（Ｓ２０）。すべての廃棄候補の検体の調査が完了すると（Ｓ２０でＹｅｓ）、オペレータは検体棚卸しの終了操作を行う（Ｓ２１）。開始操作と同様、この操作は、無線ＩＣタグ読み取り装置２からのリモート操作でもよいし、検体管理サーバ装置１での直接操作でもよい。
【００４８】
終了操作を受け付けた検体管理サーバ装置１は、廃棄された検体の記録が削除された検体管理テーブル１１を補助記憶装置６４等に記録し、検体管理テーブル１１格納域を主記憶部６２等から削除し、検体管理部１２の実行を終了する（Ｓ２２）。
【００４９】
図６は、食品事故等が発生した際、事故日の保存食品検体を捜索するときの検体管理システム５０の手続きフローチャートである。
【００５０】
食品事故等が発生した際、当該事故日に保存した食品検体を保管庫から捜索して取り出そうとする際、オペレータは、最初に検体捜索の開始の操作を行う（Ｓ３１）。この操作は、無線ＩＣタグ読み取り装置２からのリモート操作でもよいし、検体管理サーバ装置１での直接操作でもよい。
【００５１】
この操作によって、検体管理サーバ装置１では、検体管理部１２が起動されて、対象日付の食品検体を捜索する動作を開始する（Ｓ３２）。検体管理部１２は、例えば、検体管理テーブル１１を補助記憶装置６４から読み込んで主記憶部６２に展開する。さらに、検体管理部１２は、検体管理サーバ装置１のカレンダ、時計から日付と時刻を読み取とる。
【００５２】
さらに、検体管理部１２は、捜索対象の日付情報の入力をオペレータに求める。検体管理部１２は、この動作を、無線ＩＣタグ読み取り装置２を介したリモートでの表示と入力、検体管理サーバ装置１での直接の表示と入力、両者の組み合わせ等、適宜の方法で行えば良い。
【００５３】
上述の準備が整ったかどうかは、検体管理部１２が、無線ＩＣタグ読み取り装置２にある表示装置２２、あるいは検体管理サーバ装置１自身が有するコンソール装置等を通じてオペレータに通知する。さらに、検体管理部１２は、記録されている捜索対象日付の環境情報、すなわち環境センサ４１乃至４９の測定値、を表示装置２２に表示する、あるいは、印字装置に印刷するなどしてオペレータに通知する。
【００５４】
オペレータは、準備が整ったことを知ると、最初の調査対象である、例えば、検体容器３１の無線ＩＣタグ３０１を、無線ＩＣタグ読み取り装置２で読み取る（Ｓ３３）。
【００５５】
無線ＩＣタグ読み取り装置２は、読み取った無線ＩＣタグ３０１の識別子を無線ＩＣタグ読み取り装置２が備えるサーバインタフェース装置２１を介して、検体管理サーバ装置１に送信する（Ｓ３４）。
【００５６】
検体の識別子を受信した検体管理サーバ装置１の検体管理部１２は、その識別子をキーにして検体管理テーブル１１を検索し、その検体が保存された日付情報を検体管理テーブル１１から取り出す（Ｓ３５）。
【００５７】
検体管理部１２は、取り出した保管日付情報と、入力された捜索対象日付情報を比較し、調査対象の食品検体が捜索対象かそうでないかを判定する（Ｓ３７）。当該食品検体が捜索対象である場合は（Ｓ３７でＹｅｓ）、検体管理部１２は、捜索対象であることを無線ＩＣタグ読み取り装置２の表示装置２２に表示する（Ｓ３８）。捜索対象でない場合は（Ｓ３７でＮｏ）、検体管理部１２は、捜索対象でないことを表示装置２２に表示する（Ｓ３９）。
【００５８】
オペレータは表示を確認して、捜索対象である食品検体は適切な温度環境の検体移動容器に移すなどして後の検体の詳細の調査に備え、捜索対象でない食品検体は保管庫に戻して保管を継続する。検体移動容器に移した場合、オペレータはその旨を表示装置２２等から検体管理部１２に通知する。検体移動容器に移したことを通知されたとき、検体管理部１２は、その検体の識別子を、検体管理テーブル１１から削除する。
【００５９】
検体管理部１２は、次の検体読み取り準備が整ったことを、無線ＩＣタグ読み取り装置２の表示装置２２に表示して、オペレータに通知しても良い。検体管理部１２が、読み取りから記録までを十分速い速度で処理できるのであれば、この通知を省略することも可能である。
【００６０】
オペレータは、検体容器の無線ＩＣタグの読み取り操作と捜索対象か否かの確認作業を、調査すべき候補検体がなくなるまで繰り返す（Ｓ４０）。すべての検体の調査が完了すると（Ｓ４０でＹｅｓ）、オペレータは検体捜索の終了操作を行う（Ｓ４１）。開始操作と同様、この操作は、無線ＩＣタグ読み取り装置２からのリモート操作でもよいし、検体管理サーバ装置１での直接操作でもよい。
【００６１】
終了操作を受け付けた検体管理サーバ装置１は、検体移動容器に移された検体の記録が削除された検体管理テーブル１１を補助記憶装置６４等に記録し、検体管理テーブル１１格納域を主記憶部６２等から削除し、検体管理部１２の実行を終了する（Ｓ４２）。
【００６２】
＜変形例＞
オペレータが、検体管理サーバ装置１からの廃棄可否や捜索対象か否かなどの情報を確認するための表示装置２２は、必ずしも無線ＩＣタグ読み取り装置２と一体である必要はない。保管庫での作業を中断することなく手元で確認できるようであれば、表示装置２２が別筐体の装置となっても良い。
【００６３】
＜効果＞
本実施の形態にかかる検体管理サーバ装置１は、製造日付などの情報の入力ミスを防止し、保管期限管理の信頼性を向上させる。その理由は、検体管理部１２が、検体の識別子を検体管理テーブル１１に登録した日付を自動的に記録するからである。オペレータによる日付入力は不要であり、操作性も向上する。
【００６４】
さらに、本実施の形態にかかる検体管理サーバ装置１は、保存期限確認作業を効率化でき、かつ、保存期限内の検体を誤って廃棄する可能性を低減できる。その理由は、無線ＩＣタグ読み取り装置２と検体管理サーバ装置１により、食品検体の保存期限の確認を自動化したからである。
【００６５】
さらに、本実施の形態にかかる検体管理サーバ装置１は、食品事故発生時に、原因究明の手がかりとなる情報を簡易にかつ容易に提供出来る。その理由は、検体管理部１２が、食品の保存と同時に環境情報を自動的に取得保管し、自動的に表示するからである。
【００６６】
＜第２の実施形態＞
図７は、本実施の形態にかかる検体管理サーバ装置１の構成を示す図である。
【００６７】
検体管理サーバ装置１は、検体管理テーブル１１と、検体管理部１２とを備える。検体管理テーブル１１は、ＩＣタグを備えた検体容器内の検体の識別子と、日付とを、関連付けて記憶する。
【００６８】
検体管理部１２は、保管庫の出入り口近傍に備えられた無線ＩＣタグ読み取り装置２から検体の識別子を受信すると、受信した検体の識別子とその時点の日付を関連付けて検体管理表記憶手段に記録する記録処理を実行する。または、検体管理部１２は、検体の識別子を受信すると、受信した検体の識別子に関連付けられた日付から所定の保管期限を超えているか否かを判定し、超えていれば廃棄可能、超えていなければ保管継続のメッセージを出力する棚卸し処理を実行する。
【００６９】
本実施の形態にかかる検体管理サーバ装置１は、製造日付などの情報の入力ミスを防止し、保管期限管理の信頼性を向上させる。その理由は、検体管理部１２が、検体の識別子を検体管理テーブル１１に登録した日付を自動的に記録するからである。オペレータによる日付入力は不要であり、操作性も向上する。
【００７０】
さらに、本実施の形態にかかる検体管理サーバ装置１は、保存期限確認作業を効率化でき、かつ、保存期限内の検体を誤って廃棄する可能性を低減できる。その理由は、無線ＩＣタグ読み取り装置２と検体管理サーバ装置１により、食品検体の保存期限の確認を自動化したからである。
【００７１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００７２】
１    検体管理サーバ装置
２    無線ＩＣタグ読み取り装置
１１    検体管理テーブル
１２    検体管理部
２１  サーバインタフェース装置
２２  表示装置
２３    無線ＩＣタグインタフェース装置
３１    検体容器
４１    環境センサ
５０    検体管理システム
６０    コンピュータ装置
６１    プロセッサ
６２    主記憶部
６３    プログラム
６４    補助記憶装置
６５    バス
３０１    無線ＩＣタグ
【図１】
0006668810.tif 000002
【図２】
0006668810.tif 000003
【図３】
0006668810.tif 000004
【図４】
0006668810.tif 000005
【図５】
0006668810.tif 000006
【図６】
0006668810.tif 000007
【図７】
0006668810.tif 000008